(57)【要約】【課題】放射線画像検出器を組み立てる際に、精度良く容易に組み立てることができる放射線画像検出器を提供する。【解決手段】シンチレータパネルは、蛍光体層が形成された基板を封止する保護フィルムを有するとともに、保護フィルム内の基板の保護カバー側にクッション部材を有する。【選択図】図１
2008107134.tif 000002
【特許請求の範囲】
【請求項１】
蛍光体層が形成された基板を有するシンチレータパネルと、
基板を介して蛍光体層と反対側であってシンチレータパネルの放射線入射側に配置された保護カバーと、
シンチレータパネルを介して保護カバーと反対側に設けられシンチレータパネルからの光を光電変換する２次元状に複数の受光画素が配置された受光素子と、
を備える放射線画像検出器において、
シンチレータパネルは、蛍光体層が形成された基板を封止する保護フィルムを有するとともに、保護フィルム内の基板の保護カバー側にクッション部材を有することを特徴とする放射線画像検出器。
【請求項２】
前記クッション部材は、シリコン系又ウレタン系の発泡材からなることを特徴とする請求項１に記載の放射線画像検出器。
【請求項３】
前記保護フィルムは、第１保護フィルム及び第２保護フィルムから構成され、それぞれの保護フィルムの前記基板又は前記クッション部材に接触する表面は、熱融着性を有する樹脂からなることを特徴とする請求項１又は２に記載の放射線画像検出器。
【発明の詳細な説明】
【技術分野】
【０００１】
本発明は、放射線画像検出器に関する。
【背景技術】
【０００２】
従来から、Ｘ線画像に代表される放射線画像は、医療現場において病状の診断に広く用いられている。近年では、フラットパネル型放射線ディテクタ（ＦＰＤ（Ｆｌａｔ  Ｐａｎｅｌ  Ｄｅｔｅｃｔｅｒ））等に代表されるデジタル方式の放射線画像検出器も登場しており、放射線画像をデジタル情報として取得して自由に画像処理をおこなったり、瞬時に画像情報を伝送したりすることが可能となっている。
【０００３】
ＦＰＤでは、被写体を透過した放射線を受けてその線量に対応した強度で蛍光を瞬時に発光するシンチレータパネルが用いられる。シンチレータパネルの発光効率は蛍光体層の厚みが厚いほど高くなるが、厚くなりすぎると蛍光体層内で散乱光が発生し、コントラストが低下する。診断性の向上のためには、コントラストの高い画像を得る必要がある。
【０００４】
ヨウ化セシウム（ＣｓＩ）等の柱状結晶構造の蛍光体を用いる場合には、光ガイド効果により結晶内での散乱光の発生が少なく、蛍光体層の厚みを厚くしてコントラストを維持した状態で発光効率を高めることが可能である。さらに、ヨウ化セシウム（ＣｓＩ）に賦活剤としてタリウム（Ｔｌ）等を添加することにより、発光効率を向上させることが可能である（例えば、特許文献１参照）。
【特許文献１】特開２００２−１１６２５８号公報
【発明の開示】
【発明が解決しようとする課題】
【０００５】
通常、シンチレータパネルの放射線入射側には、シンチレータパネルを外部の衝撃等から保護する保護カバーが設けられている。また、シンチレータパネルを介して保護カバーと反対側には、シンチレータパネルからの発光光を受光する受光素子が設けられている。さらに、シンチレータパネルを受光素子に適度に圧接させるために、保護カバーとシンチレータパネルとの間にはクッション部材が設けられ、保護カバーを取り付けた際に圧縮されたクッション部材の圧力によりシンチレータパネルが受光素子に対して適度な圧力で圧接されるようになっている。
【０００６】
放射線画像検出器を組み立てる際には、筐体内に配置した受光素子上にシンチレータパネル及びクッション部材を順次載置し、その後保護カバーを筐体にネジ等で固定することにより組み立てる。
【０００７】
このようにして放射線画像検出器を組み立てる場合、受光素子上にシンチレータパネルの他にクッション部材も載置しなければならないので、シンチレータパネルあるいはクッション部材がズレ易くなったり、クッション部材をシンチレータパネルがズレないように載置するのに手間が掛かる、等の問題がある。
【０００８】
本発明は、以上のような問題に鑑みてなされたものであり、放射線画像検出器を組み立てる際に、精度良く容易に組み立てることができる放射線画像検出器を提供することを目的としている。
【課題を解決するための手段】
【０００９】
本発明の放射線画像検出器は、蛍光体層が形成された基板を有するシンチレータパネルと、基板を介して蛍光体層と反対側であってシンチレータパネルの放射線入射側に配置された保護カバーと、シンチレータパネルを介して保護カバーと反対側に設けられシンチレータパネルからの光を光電変換する２次元状に複数の受光画素が配置された受光素子と、を備える放射線画像検出器において、シンチレータパネルは、蛍光体層が形成された基板を封止する保護フィルムを有するとともに、保護フィルム内の基板の保護カバー側にクッション部材を有することを特徴としている。
【発明の効果】
【００１０】
本発明によれば、クッション部材がシンチレータパネル内に封入されシンチレータパネルと一体になっているので、放射線画像検出器を組み立てる際に受光素子上にシンチレータパネルのみを載置して保護カバーを取り付ければよいので、精度良く容易に組み立てることができる。
【発明を実施するための最良の形態】
【００１１】
以下、添付図面を参照しつつ本実施形態について説明するが、一例であり、本実施形態に限定するものではない。
【００１２】
（放射線画像検出器の構成）
図１は、本実施形態に係る放射線画像検出器１の構成図である。放射線画像検出器１は、筐体１１内に、被写体を透過した放射線を受けてその線量に対応した強度で蛍光を瞬時に発光するシンチレータパネル１２、シンチレータパネル１２に対して圧接して設けられシンチレータパネル１２からの光を光電変換する複数の受光画素が２次元状に配置された受光素子１３、及びシンチレータパネル１２を保護する保護カバー１４を備えている。
【００１３】
シンチレータパネル１２は、蛍光体層１２１が形成された基板１２２の裏面に本発明のクッション部材としてのクッション層１２３が配置され、これらの基板１２２及びクッション層１２３が第１保護フィルム１２４及び第２保護フィルム１２５により封止された構成となっている。
【００１４】
基板１２２は、放射線を透過させる材質から構成される。基板１２２は、受光素子１３の表面に均一にシンチレータパネル１２を接触させることができるよう、可撓性を有することが好ましい。例えば、１２５μｍ厚の可撓性を有するポリイミドフィルムを用いることができる。ポリイミドフィルムの他には、セルロースアセテートフィルム、ポリエステルフィルム、ポリエチレンテレフタレートフィルム、ポリエチレンナフタレートフィルム、ポリアミドフィルム、トリアセテートフィルム、ポリカーボネートフィルム等を用いることができる。厚みとしては、５０〜５００μｍが好ましい。
【００１５】
蛍光体層１２１は、光ガイド効果を有し発光効率の高い柱状結晶構造の蛍光体層から構成される。例えば、賦活剤としてタリウム（Ｔｌ）を添加したヨウ化セシウム（ＣｓＩ）を蛍光体材料として真空蒸着することにより、基板１２２上に柱状結晶構造の蛍光体層を形成することができる。ヨウ化セシウム（ＣｓＩ）の他には、臭化セシウム（ＣｓＢｒ）等を用いることができる。賦活材としては、タリウム（Ｔｌ）の他に、ユーロピウム、インジウム、リチウム、カリウム、ルビジウム、ナトリウム、銅、セリウム、亜鉛、チタン、ガドリニウム、テルビウム等を用いることができる。
【００１６】
クッション層１２３は、シンチレータパネル１２を適度な圧力で受光素子１３に圧接させるためのものある。例えば、放射線の吸収が少ないシリコン系又はウレタン系の発泡材を用いることができる。クッション層１２３の厚みにより、受光素子１３に対するシンチレータパネル１２の圧接力を調整する。
【００１７】
第１保護フィルム１２４及び第２保護フィルム１２５は、蛍光体層１２１を防湿し蛍光体層１２１の劣化を抑制するためのもので、透湿度の低いフィルムから構成される。例えば、ポリエチレンテレフタレートフィルム（ＰＥＴ）を用いることができる。ＰＥＴの他には、ポリエステルフィルム、ポリメタクリレートフィルム、ニトロセルロースフィルム、セルロースアセテートフィルム、ポリプロピレンフィルム、ポリエチレンナフタレートフィルム等を用いることができる。
【００１８】
また、第１保護フィルム１２４及び第２保護フィルム１２５の互いに対向する面には、互いを融着して封止するための融着層が形成されている。例えば、無延伸ポリプロピレン（ＣＰＰ）の層が形成されている。蛍光体層１２１が形成された基板１２２の裏面にクッション層１２３を配置し、これらの基板１２２及びクッション層１２３を第１保護フィルム１２４と第２保護フィルム１２５とで挟み、減圧雰囲気中で第１保護フィルム１２４と第２保護フィルム１２５とが接触する端部を融着することにより封止することができる。
【００１９】
受光素子１３は、２次元状に配置された複数の受光画素から構成されている。例えば、フォトダイオード＋薄膜トランジスタ（ＴＦＴ）により構成することができる。フォトダイオードにより光電変換した信号電荷をＴＦＴを用いて読み出す。受光素子１３としては他に、ＣＭＯＳ、ＣＣＤ等を用いることができる。
【００２０】
保護カバー１４は、シンチレータパネル１２を外部の衝撃等から保護するとともに、クッション層１２３を圧縮してシンチレータパネル１２を適度な圧力で受光素子１３に圧接する役割も果たしている。例えば、放射線透過性の高いカーボン板により構成される。保護カバー１４としては他に、アルミ板を用いることができる。
【００２１】
放射線画像検出器１を組み立てる際には、筐体１１内に配置した受光素子１３上に、蛍光体層１２１が形成された基板１２２及びクッション層１２３を第１保護フィルム１２４と第２保護フィルム１２５とで封止したシンチレータパネル１２を載置し、その後保護カバー１４を筐体１１にネジ等で固定することにより組み立てる。保護カバー１４を取り付けた際にシンチレータパネル１２内に封入されているクッション層１２３が圧縮され、圧縮に抗するクッション層１２３の反発力によりシンチレータパネル１２が受光素子１３に対して適度な圧力で圧接する。
【００２２】
このように、本実施形態によれば、クッション層１２３がシンチレータパネル１２内に封入されシンチレータパネル１２と一体になっているので、放射線画像検出器を組み立てる際に受光素子１３上にシンチレータパネル１２のみを載置して保護カバー１４を取り付ければよいので、精度良く容易に組み立てることができる。
【００２３】
本実施形態では、第１保護フィルム１２４及び第２保護フィルム１２５の２枚の保護フィルムを用いているが、１枚の保護フィルムを折り曲げた間に蛍光体層１２１の形成された基板１２２及びクッション層１２３を挟み、封止するようにしてもよい。
【図面の簡単な説明】
【００２４】
【図１】本実施形態に係る放射線画像検出器の構成図である。
【符号の説明】
【００２５】
１  放射線画像検出器
１２  シンチレータパネル
１２１  蛍光体層
１２２  基板
１２３  クッション層
１２４  第１保護フィルム
１２５  第２保護フィルム
１３  受光素子
【図１】
2008107134.tif 000003